(57)【要約】【課題】操作説明に沿った操作中に簡便に操作説明を再出力することができる携帯情報機器を提供する。【解決手段】携帯電話機１００の制御部１４０は、出力部１３０に操作説明１２２を出力させた際に、出力された操作説明を特定する特定情報１２３を記憶部１２０に記憶させる。操作説明の出力の終了後、操作説明に沿った操作の実行中に、ユーザが操作説明の再確認をするための指示を指示受付部１１０に行なうと、制御部１４０は記憶部１２０に記憶された特定情報１２３に基づき出力された操作説明１２２を出力部１３０に再出力させる。【選択図】図３
2008283444.tif 000002
【特許請求の範囲】
【請求項１】
携帯情報機器であって、
外部からの指示を受け付けるための指示受付手段と、
前記携帯情報機器の各動作モードの操作説明を記憶するための記憶手段と、
前記携帯情報機器内の情報を外部へ出力するための出力手段と、
前記携帯情報機器の動作を制御するための制御手段とを備え、
前記制御手段は、
前記指示受付手段への指示に応じて前記操作説明を前記出力手段に出力させるための説明制御手段と、
前記出力された操作説明を特定する特定情報を前記記憶手段に記憶させるための書込手段とを含み、
前記説明制御手段は、出力された操作説明に関連する動作モードの起動中に前記指示受付手段への指示を行なったときに、前記特定情報に基づき前記出力された操作説明を前記出力手段に再出力させる、携帯情報機器。
【請求項２】
前記制御手段は、前記再出力の後、前記出力された操作説明に関連する動作モード中で前記再出力前に実行していた操作を引き続き実行するための手段をさらに含む、請求項１記載の携帯情報機器。
【請求項３】
前記制御手段は、前記出力された操作説明に沿った操作の一部を自動的に行うための手段をさらに含む、請求項１または２記載の携帯情報機器。
【請求項４】
前記制御手段は、前記出力された操作説明に沿った操作の全部を自動的に行うための手段をさらに含む、請求項１または２記載の携帯情報機器。
【請求項５】
前記書込手段は、前記特定情報を前記記憶手段に自動的に記憶させる、請求項１から請求項４までのいずれか一項に記載の携帯情報機器。
【請求項６】
前記書込手段は、前記指示受付部への指示に応じて前記特定情報を前記記憶手段に記憶させる、請求項１から請求項４までのいずれか一項に記載の携帯情報機器。
【請求項７】
前記制御手段は、前記指示受付部への指示に応じて、前記特定情報と動作モードを関連付け、前記関連付けの情報を前記記憶手段に記憶させるための手段をさらに含み、
前記説明制御手段は、前記関連付けられた動作モードの起動中に、前記関連付けの情報にもとづき前記出力された操作説明を前記指示受付部への指示に応じて前記出力部に再出力させる、請求項６記載の携帯情報機器。
【請求項８】
前記指示受付手段はキー入力手段を含み、
前記再説明制御手段は、前記キー入力手段への指示に応じて前記出力された操作説明を前記出力部に再出力させる、請求項１から請求項７までのいずれか一項に記載の携帯情報機器。
【請求項９】
前記指示受付手段は前記携帯情報機器の傾きを検出し、前記傾きを指示として受付ける傾き検出手段を含み、
前記再説明制御手段は、前記傾き検出手段への指示に応じて前記出力された操作説明を前記出力手段に再出力させる、請求項１から請求項７までのいずれか一項に記載の携帯情報機器。
【請求項１０】
前記指示受付手段は外部からの音声を認識し、前記音声を指示として受付ける音声認識手段を含み、
前記再説明制御手段は、前記音声認識部への入力に応じて前記出力された操作説明を前記出力手段に再出力させる、請求項１から請求項７までのいずれか一項に記載の携帯情報機器。
【請求項１１】
ユーザの操作に応じて、外部形態が可変である筐体をさらに備え、
前記指示受付手段は、前記筐体の外部形態の変化を検知し、前記外部形態の変化を指示として受付ける状態変化検知手段を含み、
前記再説明制御手段は、前記状態変化検知部への入力に応じて前記出力された操作説明を前記出力手段に再出力させる、請求項１から請求項７までのいずれか一項に記載の携帯情報機器。
【請求項１２】
前記出力手段は、ユーザが見る角度によって２種類以上の画面を表示する複数画面表示手段を含み、
前記再説明制御手段は、前記出力された操作説明を前記複数画面表示手段により画面の１つに表示させる、請求項１から請求項７までのいずれか一項に記載の携帯情報機器。
【請求項１３】
前記出力手段は、表示画面に別の画面を透過表示する透過画面表示手段を含み、
前記再説明制御手段は、前記出力された操作説明を前記透過画面表示手段により透過表示させる、請求項１から請求項７までのいずれか一項に記載の携帯情報機器。
【発明の詳細な説明】
【技術分野】
【０００１】
この発明は、操作説明を出力する機能を有する携帯情報機器の構成に関し、より特定的には、操作説明に基づいて行う操作を使用者が簡便に実現することが可能な携帯情報機器に関する。
【背景技術】
【０００２】
携帯電話等の携帯情報機器は年々高機能化し、使用方法が複雑になっている。そのため、これらの機器では、機器上でヘルプ情報のような操作説明を確認する機能が搭載されていることが多い。
【０００３】
従来、このような携帯情報機器において、少なくとも主表示部と副表示部との２つの表示部を有し、主表示部に表示された表示情報内のヘルプ情報が副表示部に表示され、使用者は、主表示部の表示情報を見ながら、副表示部のヘルプ情報を同時に可視することができるものがある（たとえば、特許文献１を参照）。
【０００４】
この携帯情報機器では、使用者は、ヘルプ情報を参照する際に副表示部を用いることで、両表示部を使いながらキー操作を行えるので操作性を向上することができる。
【特許文献１】特開２００５−３１０００５号公報
【発明の開示】
【発明が解決しようとする課題】
【０００５】
上記の特許文献１に記載の発明は、同時に見ることのできる複数の表示部を持たない携帯情報機器には適用できない。
【０００６】
このような携帯情報機器においては、操作説明に沿った操作を行なうために一旦操作説明の出力を終了しなければならず、操作説明に沿った操作中に操作説明を再び確認したい場合には操作説明の再検索が必要となるなど、利便性が悪いという問題があった。
【０００７】
そこで、本発明においては、同時に見ることのできる複数の表示部を有するかどうかにかかわらず、操作説明に沿った操作中に簡便に操作説明を再出力することができる携帯情報機器を提供することを課題としている。
【課題を解決するための手段】
【０００８】
本発明の携帯情報機器は、外部からの指示を受け付けるための指示受付手段と、携帯情報機器の各動作モードの操作説明を記憶するための記憶手段と、携帯情報機器内の情報を外部へ出力するための出力手段と、携帯情報機器の動作を制御するための制御手段とを備え、制御手段は、指示受付手段への指示に応じて操作説明を出力手段に出力させるための説明制御手段と、出力された操作説明を特定する特定情報を記憶手段に記憶させるための書込手段とを含み、説明制御手段は、出力された操作説明に関連する動作モードの起動中に指示受付手段への指示を行なったときに、特定情報に基づき出力された操作説明を出力手段に再出力させる。
【０００９】
本発明の携帯情報機器では、制御手段は、再出力の後、出力された操作説明に関連する動作モード中で再出力前に実行していた操作を引き続き実行するための手段をさらに含んでもよい。
【００１０】
また、制御手段は、出力された操作説明に沿った操作の一部を自動的に行うための手段をさらに含んでもよい。
【００１１】
また、制御手段は、出力された操作説明に沿った操作の全部を自動的に行うための手段をさらに含んでもよい。
【００１２】
本発明の携帯情報機器では、書込手段は、特定情報を記憶手段に自動的に記憶させてもよい。
【００１３】
また、書込手段は、指示受付部への指示に応じて特定情報を記憶手段に記憶させてもよい。
【００１４】
さらに、指示受付部への指示に応じて特定情報を記憶手段に記憶させる場合は、制御手段は、特定情報と動作モードとを関連付けし、関連付けの情報を記憶手段に記憶させるための手段をさらに含み、説明制御手段は、関連付けられた操作モードの起動中に、関連付けの情報にもとづき出力された操作説明を指示受付部への指示に応じて出力部に再出力させてもよい。
【００１５】
本発明の携帯情報機器では、指示受付手段はキー入力手段を含み、説明制御手段は、キー入力手段への指示に応じて出力された操作説明を出力部に再出力させてもよい。
【００１６】
また、指示受付手段は携帯情報機器の傾きを検出し、傾きを指示として受付ける傾き検出手段を含み、説明制御手段は、傾き検出手段への指示に応じて出力された操作説明を出力手段に再出力させてもよい。
【００１７】
また、指示受付手段は外部からの音声を認識し、音声を指示として受付ける音声認識手段を含み、説明制御手段は、音声認識部への入力に応じて出力された操作説明を出力手段に再出力させてもよい。
【００１８】
また、本発明の携帯情報機器は、ユーザの操作に応じて、外部形態が可変である筐体をさらに備え、指示受付手段は、筐体の外部形態の変化を検知し、外部形態の変化を指示として受付ける状態変化検知手段を含み、説明制御手段は、状態変化検知部への入力に応じて出力された操作説明を出力手段に再出力させてもよい。
【００１９】
また、本発明の携帯情報機器は、出力手段は、ユーザが見る角度によって２種類以上の画面を表示する複数画面表示手段を含み、説明制御手段は、出力された操作説明を複数画面表示手段により画面の１つに再出力させてもよい。
【００２０】
また、本発明の携帯情報機器は、出力手段は、表示画面に別の画面を透過表示する透過画面表示手段を含み、説明制御手段は、出力された操作説明を透過画面表示手段により再出力させてもよい。
【発明の効果】
【００２１】
一旦出力された操作説明を特定する情報を記憶しておくことで、出力された操作説明に関連する動作モードの起動中に、操作説明を再出力することが簡便にできる。
【発明を実施するための最良の形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
また、以下では、携帯電話機を、本発明の「携帯情報機器」の一例として説明を行なうこととする。ただし、本発明は、ＰＤＡ（Personal Digital Assistant）などの他の携帯情報機器やその他の携帯通信端末にも適用可能なものである。
【００２４】
図１および図２を参照して、本発明の携帯情報機器の一実施の形態である携帯電話機１００について説明する。携帯電話機１００は、特に限定はされないが、折畳式であるものとする。そして、図１は、携帯電話機１００の筐体を開いた状態での正面側の斜視図であり、図２は、当該筐体を開いた状態での背面側の斜視図である。
【００２５】
図１に示すように、携帯電話機１００は、第１の筐体１０１と、第２の筐体１０３と、メインディスプレイ１３２と、入力キー１１１と、マイク１１３と、スピーカ１３１を含む。第１の筐体１０１と第２の筐体１０３とは、接続部１０２で折畳み可能に接続されている。
【００２６】
入力キー１１１は、複数のキーを含む機能キー群１１５と、メインディスプレイ１３２上の表示の少なくとも一部（表示全体、または、メインディスプレイ１３２上に表示されたカーソル等）を上下左右それぞれに所定の距離だけ移動させるための上キー１１６Ａ，下キー１１６Ｂ，左キー１１６Ｃ，右キー１１６Ｄと、数字等の入力のためのテンキーを含む１２キー１１７とを備える。機能キー群１１５は、移動したカーソル等に対応する処理に決定したことを入力するための決定キー１１５Ａと、電源をオフするための電源オフボタン１１５Ｂと、電源をオンするための電源オンボタン１１５Ｃとを含む。
【００２７】
さらに、図２に示すように、携帯電話機１００は、第１の筐体１０１に、サブディスプレイ１３３と、カメラ１６１と、ＬＥＤ（Light Emitting Diode）１７１とを含む。また、携帯電話機１００は、第２の筐体１０３にアンテナ１５１を有する。
【００２８】
また、本実施の形態の携帯電話機１００では、カメラ１６１が第１の筐体１０１の外面側（メインディスプレイ１３２を設けられた面の裏側面）に設けられているが、カメラ１６１の設置位置は、このような位置に限定されるものではない。
【００２９】
図３は、携帯電話機１００の機能ブロック図である。
図３を参照して、携帯電話機１００は指示受付部１１０、記憶部１２０、出力部１３０、制御部１４０、通信部１５０を含む。
【００３０】
指示受付部１１０は外部からの指示を受け付ける。指示受付部１１０は、入力キー１１１、傾き検出部１１２、マイク１１３、状態変化検知部１１４を含む。
【００３１】
入力キー１１１は外部からの押下を指示として受付ける。傾き検出部１１２は、携帯電話器１００の傾きを検出し、その傾きを指示として受付ける。マイク１１３は外部からの音声を認識し、外部からの音声を指示として受付ける。状態変化検知部１１４は、携帯電話機１００の開閉状態を検知し指示として受付ける。なお、図１および図２では、携帯電話機１００が折畳式であるとしているので、このような開閉検出を行なうことになるものの、たとえば、携帯電話機１００がスライド式などであり他の態様の状態変化をする場合には、その状態変化の検出を行なう。
【００３２】
記憶部１２０は、携帯電話機１００の動作のためのプログラム１２１、携帯電話器１００の各動作モードの操作説明１２２、操作説明を特定する特定情報１２３等を記憶する。
【００３３】
ここで、「動作モード」とは、主には、カメラモード、メールモード等のアプリケーションソフトを動かしている状態およびアプリケーションソフトを動かすための指示を待っている状態である待受モードを指す。
【００３４】
出力部１３０は、携帯電話機１００内の情報を外部へ出力する。出力部１３０は、スピーカ１３１、メインディスプレイ１３２およびサブディスプレイ１３３を含む。スピーカ１３１は音声を外部に出力する。メインディスプレイ１３２およびサブディスプレイ１３３は、画像をディスプレイに表示する。これらのディスプレイはユーザが見る角度によって２種類以上の画面を表示できるものであってもよい。あるいは、表示画面に別の画面を透過表示できるものであってもよい。
【００３５】
制御部１４０は、携帯電話器１００の動作をプログラム１２１により制御する。ただし、この制御は必ずしも記憶部に記憶されているプログラムにしたがって行なわれる必要はない。たとえば、ソフトウェアで実現されている複数の機能のうち一部または全部はハードウェアで行なわれてもよい。
【００３６】
通信部１５０は、アンテナ１５１を介して基地局と無線通信を行ない、公衆電話回線網へのアクセスを行なう。
【００３７】
図４は携帯電話機１００で実行される処理を説明するためのフローチャートである。
操作は携帯電話機１００の待受モードから始めるものとする（Ｓ４０１）。
【００３８】
指示受付部１１０が受付けた指示に応じて、制御部１４０は、操作説明検索モードを起動する（Ｓ４０２）。
【００３９】
操作説明検索モードの起動中に指示受付部１１０が受付けた指示に応じて、制御部１４０は出力部１３０に操作説明を出力させる（Ｓ４０３）。この出力は、スピーカ１３１を介して行なわれるものであってもよいし、メインディスプレイ１３２あるいはサブディスプレイ１３３を介して行なわれるものであってもよい。
【００４０】
次に、制御部１４０は、出力された操作説明を特定する特定情報を記憶部１２０に記憶させる（Ｓ４０４）。制御部１４０は、ユーザが行なった指示受付部１１０への指示に応じてこのステップを行なってもよいし、ユーザの指示なしに自動的に行なってもよい。
【００４１】
また、ユーザの指示に応じてこのステップを行なう場合に、制御部１４０は、特定情報と出力された操作説明に関連する動作モードとを関連付け、その関連付けの情報を記憶部１２０に記憶させてもよい。複数の動作モードに関する操作説明を出力させた場合には、制御部１４０は、それぞれの動作モードによって識別できるような特定情報を記憶部１２０に記憶させる。
【００４２】
Ｓ４０４において特定情報が記憶部１２０に記憶された後、制御部１４０は、ユーザの指示に応じて、出力部１３０による操作説明の出力を終了させる（Ｓ４０５）。操作説明の終了後、制御部１４０は、ユーザの指示に応じて、出力された操作説明に関連する動作モードを起動する。この動作モード中でユーザは操作説明に沿った操作を実行する（Ｓ４０６）。
【００４３】
ユーザが携帯電話機１００に所望の動作を実現させるための操作手順が複数の操作ステップから成る場合には、ユーザはＳ４０６において複数回の操作を行なわなければならない。このような場合、ユーザが操作を誤まるおそれがある。このような問題を解決するため、操作説明に指示されているユーザが行なうべき複数の操作ステップのうち一部または全部の操作ステップを制御部１４０が自動的に行なうモードが設けられていてもよい。このモードが設けられている場合、ユーザは、操作説明の出力後に、このモードを利用するか、上記のように自分で操作説明に沿った操作を行なうかを選択して、制御部１４０に指示を行なう。制御部１４０は、ユーザがこのモードを利用するための指示を行なった場合、出力部１３０による操作説明の出力を終了させ、出力された操作説明に関する動作モードを起動し、複数の操作ステップの一部または全部を実行する。ユーザはこのモードを利用することにより、操作誤まりを軽減することができる。
【００４４】
操作説明に沿った操作Ｓ４０６中に、ユーザが出力された操作説明を再確認する必要があることがある。この場合、ユーザの指示に応じて制御部１４０は、出力された操作説明を出力部１３０に再出力させる（Ｓ４０８）。
【００４５】
具体的には、ユーザの指示に応じて、制御部１４０は、記憶部１２０に記憶された特定情報を読み出し、読み出した特定情報に基づき出力部１３０にＳ４０３で出力された操作説明を出力させる。
【００４６】
この再出力は、スピーカ１３１を介して行なわれてもよいし、メインディスプレイ１３２あるいはサブディスプレイ１３３を介して行なわれてもよい。また、これらのディスプレイがユーザが見る角度によって２種類以上の画面を表示させることができる場合には、出力された操作説明をその画面の１つに表示させることで行なわれてもよい。また、これらのディスプレイが表示されている画面に別の画面を透過表示させることができる場合には、出力された操作説明を透過表示することで行なわれてもよい。
【００４７】
さらに、特定情報と出力された操作説明に関連する動作モードとの関連付けの情報が記憶部１２０に記憶されている場合には、制御部１４０は、関連付けられた動作モードの起動中に、関連付けの情報に基づきユーザが行なった指示受付部１１０への指示に応じて出力された操作説明を出力部に再出力させてもよい。具体的には、制御部１４０が複数の動作モードについての操作説明を出力部１３０に出力させた後に、そのうちの１つの動作モードを起動した場合であっても、制御部１４０は、関連付け情報に基づきユーザが行なった指示受付部１１０への指示に応じて、その動作モードに関する操作説明を出力することができる。このように複数の動作モードに対応する操作説明を再出力することができる。
【００４８】
必要に応じて操作説明の再確認を行いながら、所望の動作が実現するまで操作説明に沿った操作を続け、所望の動作を実現する（Ｓ４０９）。
【００４９】
具体的な実施例として、携帯電話機１００で操作説明に沿ってカメラ１６１を利用して静止画撮影を行なう場合の遷移の態様を図５に沿って説明する。
【００５０】
ここでは、操作は待受モードから始まるものとする。待受モードではメインディスプレイ１３３に待受画面が表示されている（Ｓ５０１）。
【００５１】
まず、待受モードにおいて、ユーザによる入力キー１１１等への指示が行なわれることより、制御部は、動作モードを操作説明検索モードに切替える。操作説明検索モードでは操作説明検索画面がメインディスプレイ１３２に表示されている（Ｓ５０２）。操作説明検索画面には、操作説明を受けることのできるアプリケーションが列記されており、上キー１１６Ａ、下キー１１６Ｂ等の押下により、操作説明を受けたいアプリケーションを選択する。ここでは、カメラを選択する。さらに、指示を続け、カメラによる静止画撮影のための操作説明画面をメインディスプレイ１３２に表示する（Ｓ５０３）。
【００５２】
操作説明画面の表示後、制御部１４０は、表示した操作説明画面を特定する特定情報を記憶部１２０に記憶させる。ここでは、操作説明画面を特定する特定情報は「＜カメラ＞●撮影方法」であるとしている。この記憶は、操作説明画面の表示の後、ユーザの指示に応じて行なわれるものであってもよいし、ユーザの指示なしに自動的に行なわれるものであってもよい。
【００５３】
記憶部１２０に特定情報が記憶された後、ユーザの指示に応じて制御部１４０は、動作モードを操作説明検索モードから待受モードに切替える。そして、待受モード中にユーザが決定キー１１５Ａを押下すると、制御部１４０はカメラモードを起動する。これにともない、制御部１４０はメインディスプレイ１３２にカメラ起動画面を表示する（Ｓ５０４）。
【００５４】
ただし、制御部１４０は、ユーザの指示によっては、操作説明画面の表示後、待受モードに移ることなく、動作モードを操作検索モードからカメラモードに切替えてもよい。
【００５５】
カメラモードにおいて、操作説明の再確認が必要な場合、ユーザは入力キー１１１等への指示を行なう。この指示に応じて、制御部１４０は、記憶部１２０に記憶されている特定情報を読み出し、読み出された特定情報に基づき、メインディスプレイ１３２に操作説明画面を表示させる（Ｓ５０５）。
【００５６】
操作説明画面により操作説明を再確認した後は、ユーザはメイン入力キー１１１等への指示を行なう。この指示により制御部１４０は、操作説明画面の出力を終了させ、動作モードをカメラモードに戻す。
【００５７】
制御部１４０が特定情報を読み出し操作説明画面を表示するというタスクを行なっている間も、制御部１４０はカメラモードのタスクを継続して行なっているものとする。したがって、カメラモードに戻った際には、操作説明の再確認前にカメラモードで行なっていた操作を引き続き行なうことができる。
【００５８】
必要に応じて、操作説明の再表示を繰り返しながら所望の動作であるカメラを利用した静止画撮影が完了するまで、操作説明に沿った一連の操作を続ける。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６０】
【図１】携帯電話機１００の筐体を開いた状態での正面側の斜視図である。
【図２】携帯電話機１００の筐体を開いた状態での背面側の斜視図である。
【図３】携帯電話器１００の機能ブロック図である。
【図４】携帯電話器１００で実行される処理を説明するためのフローチャートである。
【図５】携帯電話器１００で、操作説明に沿ってカメラ１６１を利用して静止画撮影する場合の遷移の態様を示すフローチャートである。
【符号の説明】
【００６１】
１００  携帯電話機、１０１  第１の筐体、１０２  接続部、１０３  第２の筐体、１１１  入力キー、１１５  機能キー群、１１５Ａ  決定キー、１１５Ｂ  電源オンボタン、１１５Ｃ  電源オフボタン、１１６Ａ  上キー、１１６Ｂ  下キー、１１６Ｃ  左キー、１１６Ｄ  右キー、１１７  １２キー、１１３  マイク、１３１  スピーカ、１３３  メインディスプレイ、１３４  サブディスプレイ、１５１  アンテナ、１６１  カメラ、、１７１  ＬＥＤ。
【図１】
2008283444.tif 000003
【図２】
2008283444.tif 000004
【図３】
2008283444.tif 000005
【図４】
2008283444.tif 000006
【図５】
2008283444.tif 000007